(57)【要約】【課題】雨水を貯留して再利用する機能と、雨水を一時的に貯留して下水道管渠等が溢れるのを防止する機能の両方を同時に満たすとともに、第１及び第２貯留槽を別々に製作した場合と比較して、部品点数及び製作工数を大幅に低減する。【解決手段】全面が雨水１３の流通を阻止する遮水シート１４で被覆されかつ雨水１３を導く雨水導入管５１を有する第１貯留槽１１が雨水１３を貯留可能に地中に設けられる。また少なくとも外周面及び底面が雨水１３の流通を許容する透水シート１６で被覆された第２貯留槽１２が第１貯留槽１１に隣接して地中に設けられる。更に第１貯留槽１１の上部にオーバフロー管５１が遮水シート１４を貫通して設けられ、第１貯留槽１１に貯留された所定の水位を超える雨水がオーバフロー管５１を通って第２貯留槽１２に導かれるように構成される。【選択図】図１
2015224450.tif 000002
【特許請求の範囲】
【請求項１】
雨水を貯留可能に地中に設けられ全面が前記雨水の流通を阻止する遮水シートで被覆されかつ前記雨水を導く雨水導入管を有する第１貯留槽と、
前記第１貯留槽に隣接して地中に設けられ少なくとも外周面及び底面が前記雨水の流通を許容する透水シートで被覆された第２貯留槽と
を備え、
前記第１貯留槽の上部にオーバフロー管が前記遮水シートを貫通して設けられ、
前記第１貯留槽に貯留された所定の水位を超える雨水が前記オーバフロー管を通って前記第２貯留槽に導かれるように構成された雨水貯留システム。
【請求項２】
前記第２貯留槽を前記第１貯留槽の外周面に隣接させて前記第１貯留槽の外周面が前記第２貯留槽により包囲されるように構成された請求項１記載の雨水貯留システム。
【請求項３】
前記第１貯留槽に、下面に少なくとも１本の円筒リブが突設されかつ上面に少なくとも１本の円筒リブが突設された複数の正方形板状の仕切板と、前記円筒リブに連結アダプタを介して嵌合するか又は前記連結アダプタを介さずに直接嵌合する複数の筒状の連結スペーサとを有する貯留複合体が充填され、
前記複数の仕切板を同一水平面内に並べて互いに連結することにより構成される水平連結体が設けられ、
前記水平連結体の間に前記連結スペーサが前記連結アダプタを介して介装されるか又は前記連結アダプタを介さずに直接介装され、
前記第２貯留槽に、縦横に配設されかつ上方に積み重ねられた複数の角錐台状又は角型台状の滞水材が充填され、
前記第１貯留槽内の連結スペーサの配設間隔が前記第２貯留槽内の滞水材の配設間隔より広く形成され、
前記第１貯留槽の上方に前記第１貯留槽の内部に連通する管理用マンホールが設けられた請求項１記載の雨水貯留システム。
【発明の詳細な説明】
【技術分野】
【０００１】
本発明は、雨水を再利用するために雨水を貯留する機能と、集中豪雨時に洪水が発生するのを防止するために大量の雨水を一時的に貯留する機能とを有する雨水貯留システムに関するものである。
【背景技術】
【０００２】
従来、上端が地表に表出するように埋設された有底の上部枡に流入管が接続され、上部枡に筒状の下部鉛直枡の上部が接続され、上記流入管から供給される雨水を下部鉛直枡の上端開口部から流下させるように構成された除塵管理枡が開示されている（例えば、特許文献１参照。）。この除塵管理枡では、下部鉛直枡の上端が上部枡の底壁を貫通して上部枡の周壁が下部鉛直枡の上端を包囲するように設けられる。また、上部枡の底壁を貫通した下部鉛直枡の上端周囲と上部枡の周壁との間に、流入管から供給されて下部鉛直枡の上端開口部に流入する水に含まれる固形物を沈降させる周溝が形成される。更に、上記除塵管理枡は貯留槽に連結して設けられる。この貯留槽は、地下に埋設された地下貯留槽であって、複数の滞水材を組合せてなる集合体を遮水シートにより被覆することにより形成される。この滞水材はプラスチックの成型体からなり、この滞水材は、角錐台状等に形成され、縦横に配設された後その上にも積み重ねられて滞水材の集合体が得られる。
【０００３】
このように構成された除塵管理枡では、底壁を貫通した下部鉛直枡の上端周囲と周壁との間に流入管から供給されて下部鉛直枡の上端開口部に流入する水に含まれる固形物を沈降させる周溝を形成したので、下部鉛直枡に流入する水に含まれるその固形物からなる塵埃を減少させて、地下貯留槽、浸透枡、下水道等に供給される水から塵埃を高い確率で除去することができる。また、上記周溝は、上部枡の底壁を貫通した下部鉛直枡の上端周囲と上部枡の周壁との間に形成されるため、比較的浅い位置に存在する。この結果、上記周溝に沈降して堆積した塵埃の洗浄を比較的容易に行うことができる。なお、滞水材の集合体を雨水の透過を許容する透水シートにより被覆して地下貯留槽を形成することにより、洪水の発生を回避できるようになっている。
【０００４】
一方、貯留複合体が貯留槽又は貯留浸透槽の内部に充填され、仕切板の下面及び上面に円筒リブが１本ずつ突設され、漏斗状の端部スペーサが、仕切板の上下面に円筒リブに嵌合して接続される大径筒部と、大径筒部より小径の小径筒部とを有し、円筒状の連結スペーサの両端が一対の端部スペーサの小径筒部に嵌合された貯留複合体が開示されている（例えば、特許文献２参照。）。この貯留複合体では、仕切板の一辺の長さをＳとするとき、円筒リブが大径筒部と嵌合する部分の直径が０．４０Ｓ〜０．９５Ｓの範囲内に設定される。また、複数の仕切板を同一水平面内に並べて互いに連結することにより構成される水平連結体が複数段設けられ、複数段の水平連結体の間に端部スペーサ及び連結スペーサが介装される。更に、貯留槽又は貯留浸透槽の内部に充填された貯留複合体の複数の端部スペーサのうち最外側に位置する複数の端部スペーサの最外面に発泡スチロール板を当接させることにより、発泡スチロール板が端部スペーサ及び連結スペーサを複数段の水平連結体の間毎に囲むように構成される。
【０００５】
このように構成された貯留複合体では、貯留複合体に作用する外力のうち鉛直方向の分圧を仕切板、端部スペーサ及び連結スペーサが受け、貯留複合体に作用する外力のうち水平方向の分圧を水平連結体が主に受ける。この結果、比較的簡単な形状の部材を組立てて形成された貯留複合体であっても、比較的大きな構造体としての強度を確保できる。また、上記貯留複合体を内部に充填した貯留槽又は貯留浸透槽では、貯留複合体を発泡スチロール板とともに遮水シート又は透水シートで包む場合、貯留複合体に作用する外圧のうち水平方向の分圧が遮水シート又は透水シートに圧接される方向に作用しても、この外圧を発泡スチロール板の面積の大きな平面が受ける。この結果、遮水シート又は透水シートの損傷を防止できるようになっている。
【先行技術文献】
【特許文献】
【０００６】
【特許文献１】国際公開ＷＯ２００８／１４２８７９号公報（請求項１、段落［００１４］、［００１９］、［００３８］、図１）
【特許文献２】国際公開ＷＯ２０１２／１１１４６５号公報（請求項１、段落［００２０］、［００２７］、［００６６］、図１、図６、図１０）
【発明の概要】
【発明が解決しようとする課題】
【０００７】
上記従来の特許文献１の除塵管理枡に示された地下貯留槽では、複数の滞水材を組合せてなる集合体を遮水シートにより被覆した地下貯留槽に雨水を貯留することにより、この地下貯留槽に雨水を貯留して再利用でき、複数の滞水材を組合せてなる集合体を透水シートにより被覆した地下貯留槽に雨水を一時的に貯留することにより、降雨強度が下水道管渠等の流下能力を越える大規模の降雨時に下水道管渠や河川が溢れるのを防止できる。しかし、上記従来の特許文献１の除塵管理枡に示された地下貯留槽では、集合体を被覆するシートが遮水シートか或いは透水シートであるため、雨水を貯留して再利用する機能と、雨水を一時的に貯留して下水道管渠等が溢れるのを防止する機能の両方を同時に満たすことができない。このため、集合体を遮水シートにより被覆した地下貯留槽と、集合体を透水シートにより被覆した地下貯留槽とを別々に設置することが考えられる。しかしながら、別々に設置すると、部品点数が増大し、製作コストが大幅に増大する不具合があった。また、上記従来の特許文献１の除塵管理枡に示された地下貯留槽では、地下貯留槽を地中に設置した後に土砂を埋め戻すときに、地下貯留槽を被覆する遮水シートを損傷するおそれがあった。更に、上記従来の特許文献１に示された除塵管理枡では、地下貯留槽内の滞水材の間隔が比較的狭いため、地下貯留槽内の点検及び清掃を容易に行うことができない問題点もあった。
【０００８】
一方、上記従来の特許文献２に示された貯留槽では、貯留複合体を遮水シートで包んだ貯留槽に雨水を貯留することにより、この貯留槽に貯留された雨水を再利用でき、上記従来の特許文献２に示された貯留浸透槽では、降雨強度が下水道管渠等の流下能力を越える大規模の降雨時に、貯留複合体を透水シートで包んだ貯留浸透槽に雨水を一旦貯留した後に地中に浸透して拡散させることにより、下水道管渠や河川が溢れるのを防止できる。しかし、上記貯留複合体を遮水シートで包んだ貯留槽では、雨水を一時的に貯留して下水道管渠等が溢れるのを防止することができず、上記貯留複合体を透水シートで包んだ貯留浸透槽では、雨水を貯留して再利用することができず、雨水を貯留して再利用する機能と、雨水を一時的に貯留して下水道管渠等が溢れるのを防止する機能の両方を同時に満たすことができない。このため、貯留槽及び貯留浸透槽を別々に設置することが考えられる。しかしながら、別々に設置すると、部品点数及び製作工数が大幅に増大する問題点があった。また、上記従来の特許文献２に示された貯留槽では、貯留槽を地中に設置した後に土砂を埋め戻すときに、貯留槽を被覆する遮水シートを損傷するおそれがあった。更に、上記従来の特許文献２に示された貯留槽や貯留浸透槽では、槽内の貯留複合体の連結スペーサの間隔が比較的狭いため、槽内の点検及び清掃を容易に行うことができない問題点もあった。
【０００９】
本発明の第１の目的は、雨水を貯留して再利用する機能と、雨水を一時的に貯留して下水道管渠等が溢れるのを防止する機能の両方を同時に満たすことができるとともに、第１及び第２貯留槽を別々に製作した場合と比較して、部品点数及び製作工数を大幅に低減できる、雨水貯留システムを提供することにある。本発明の第２の目的は、第１貯留槽を遮水シートで被覆し、第２貯留槽を透水シートで被覆し、更に第１貯留槽に貯留された所定の水位を超える雨水をオーバフロー管を通って第２貯留槽に導くことにより、第２貯留槽に塵埃等の粒子状物質を殆ど含まない雨水が流入し、透水シートの目詰まりを防止できる、雨水貯留システムを提供することにある。本発明の第３の目的は、第２貯留槽を第１貯留槽に隣接させることにより、第１貯留槽を被覆する遮水シートを第２貯留槽で保護でき、第２貯留槽を第１貯留槽の外周面に隣接させて第１貯留槽の外周面を第２貯留槽で包囲することにより、第１及び第２貯留槽を地中に設置した後に土砂を埋め戻すときに、第１貯留槽の外周面を被覆する遮水シートが埋め戻し土砂で損傷するのを防止できる、雨水貯留システムを提供することにある。本発明の第４の目的は、第１貯留槽内の点検及び清掃を容易に行うことができる、雨水貯留システムを提供することにある。
【課題を解決するための手段】
【００１０】
本発明の第１の観点は、図１〜図３に示すように、雨水１３を貯留可能に地中に設けられ全面が雨水１３の流通を阻止する遮水シート１４で被覆されかつ雨水１３を導く雨水導入管５１を有する第１貯留槽１１と、第１貯留槽１１に隣接して地中に設けられ少なくとも外周面及び底面が雨水１３の流通を許容する透水シート１６で被覆された第２貯留槽１２とを備え、第１貯留槽１１の上部にオーバフロー管１１ａが遮水シート１４を貫通して設けられ、第１貯留槽１１に貯留された所定の水位を超える雨水１３がオーバフロー管１１ａを通って第２貯留槽１２に導かれるように構成された雨水貯留システムである。
【００１１】
本発明の第２の観点は、第１の観点に基づく発明であって、更に図１に示すように、第２貯留槽１２を第１貯留槽１１の外周面に隣接させて第１貯留槽１１の外周面が第２貯留槽１２により包囲されるように構成されたことを特徴とする。
【００１２】
本発明の第３の観点は、第１の観点に基づく発明であって、更に図１〜図３に示すように、第１貯留槽１１に、下面に少なくとも１本の円筒リブ２３ａ，２３ｂが突設されかつ上面に少なくとも１本の円筒リブ２３ｃ，２３ｄが突設された複数の正方形板状の仕切板２３と、円筒リブ２３ａ〜２３ｄに連結アダプタ２４を介して嵌合するか又は連結アダプタ２４を介さずに直接嵌合する複数の筒状の連結スペーサ３１，３２とを有する貯留複合体２１，２２が充填され、複数の仕切板２３を同一水平面内に並べて互いに連結することにより構成される水平連結体３０が設けられ、水平連結体３０の間に連結スペーサ３１，３２が連結アダプタ２４を介して介装されるか又は連結アダプタ２４を介さずに直接介装され、第２貯留槽１２に、縦横に配設されかつ上方に積み重ねられた複数の角錐台状又は角型台状の滞水材１２ａが充填され、前記第１貯留槽１１内の連結スペーサ３１の配設間隔が前記第２貯留槽１２内の滞水材１２ａの配設間隔より広く形成され、第１貯留槽１１の上方に第１貯留槽１１の内部に連通する管理用マンホール４８が設けられたことを特徴とする。
【発明の効果】
【００１３】
本発明の第１の観点の雨水貯留システムでは、第１貯留槽を遮水シートで被覆し、第２貯留槽を透水シートで被覆し、更に第１貯留槽に貯留された所定の水位を超える雨水をオーバフロー管を通って第２貯留槽に導くので、第１貯留槽が雨水を貯留して再利用する機能を発揮できるとともに、第２貯留槽が雨水を一時的に貯留して下水道管渠等が溢れるの防止する機能を発揮でき、更に第１及び第２貯留槽を別々に製作した場合と比較して、第１及び第２貯留槽を製作するための部品点数及び工数を大幅に低減できる。また第１貯留槽に貯留された雨水中の塵埃等の粒子状物質が沈降して第１貯留槽の底部に堆積するので、粒子状物質を殆ど含まない比較的清浄な雨水がオーバフロー管を通って第２貯留槽に流入する。この結果、第２貯留槽を被覆する透水シートの目詰まりを防止できる。更に、第２貯留槽を第１貯留槽に隣接させたので、第１貯留槽内の外周部の構造を簡略化することが可能になるだけでなく、第１貯留槽を被覆する遮水シートを第２貯留槽で保護できる。即ち、第１及び第２貯留槽を地中に設置した後に土砂を埋め戻すときに、第１貯留槽を被覆する遮水シートのうち第２貯留槽が接する部分が埋め戻し土砂で損傷するのを防止できる。
【００１４】
本発明の第２の観点の雨水貯留システムでは、第２貯留槽を第１貯留槽の外周面に隣接させて第１貯留槽の外周面を第２貯留槽で包囲したので、第１貯留槽内の外周部の構造をより簡略化することが可能になるだけでなく、第１貯留槽を被覆する遮水シートを第２貯留槽でより確実に保護できる。即ち、第１及び第２貯留槽を地中に設置した後に土砂を埋め戻すときに、第１貯留槽の外周面を被覆する遮水シートが埋め戻し土砂で損傷するのを防止できる。
【００１５】
本発明の第３の観点の雨水貯留システムでは、第１貯留槽内の連結スペーサの配設間隔を第２貯留槽内の滞水材の配設間隔より広く形成し、第１貯留槽の上方に第１貯留槽の内部に連通する管理用マンホールを設けたので、管理用マンホールから第１貯留槽内に比較的容易に入ることができる。この結果、第１貯留槽内の点検及び清掃を容易に行うことができる。
【図面の簡単な説明】
【００１６】
【図１】本発明実施形態の雨水貯留システムを示す縦断面構成図である。
【図２】雨水及び雨水導入管を除く図１のＡ部拡大断面図である。
【図３】図２のＢ−Ｂ線断面図である。
【図４】第１貯留槽の同一水平面内で隣接する４枚の仕切板の各コーナ部を互いに連結する第１結合片の底面図である。
【図５】第１貯留槽の同一水平面内で最外側に位置して隣接する２枚の仕切板の各コーナ部を互いに連結する第２結合片の底面図である。
【図６】第１貯留槽の同一水平面内で隣接する４枚の仕切板を第１結合片で連結する直前の状態（ａ）及び直後の状態（ｂ）を示す斜視図である。
【図７】第１貯留槽内において第１結合片で連結された４枚の仕切板上に連結アダプタを介して連結スペーサを連結する直前の状態を示す要部斜視図である。
【図８】第１貯留槽内において単一の仕切板上に筒状の連結スペーサを直接連結しかつこの仕切板の中心孔に主軸パイプを挿通する直前の状態（ａ）及び直後の状態（ｂ）を示す要部斜視図である。
【発明を実施するための形態】
【００１７】
次に本発明を実施するための形態を図面に基づいて説明する。図１に示すように、雨水貯留システムは、雨水１３を貯留可能に地中に設けられた第１貯留槽１１と、第１貯留槽１１に隣接して地中に設けられた第２貯留槽１２とを備える。上記第１貯留槽１１は、略直方体状に形成され、全面が雨水１３の流通を阻止する遮水シート１４で被覆される。また第２貯留槽１２は、この実施の形態では、第１貯留槽１１の外周面に隣接して、第１貯留槽１１の外周面を包囲するように設けられる。更に第２貯留槽１２の外周面、底面及び上面は雨水１３の流通を許容する透水シート１６で被覆される。即ち、第２貯留槽１２の内周面を除く全ての面が透水シート１６で被覆され、第１貯留槽１１の底面及び上面は遮水シート１４及びも透水シート１６で被覆される。図１〜図３では、遮水シート１４は太い実線で示し、透水シート１６は太い破線で示している。また上記遮水シート１４は、ポリエチレン系、合成ゴム系、塩化ビニル系等の防水シートと、この防水シートの両面に防水シートを保護するためにそれぞれ積層されたポリエステルの不織布等からなる保護シートとを有する。更に上記透水シート１６は、ポリエステル系、ポリエチレン系等の長繊維を用いた不織布等からなる。ここで、透水シート１６は、遮水シート１４の保護シートより目を細かく形成することにより、雨水１３の通過を許容しかつ土砂等の通過を阻止できるように構成される。これにより第２貯留槽１２外の土砂等が透水シート１６を通って第２貯留槽１２内に侵入するのを防止できるようになっている。なお、この実施の形態では、第２貯留槽の上面を透水シートで被覆したが、第２貯留槽の上面を遮水シートで被覆してもよい。
【００１８】
第１貯留槽１１の中央には第１貯留複合体２１が充填され、第１貯留槽１１の周部（全側部）及び上部には第１貯留複合体２１の外周面及び上面を包囲するように第２貯留複合体２２が充填される（図１〜図３）。第１貯留複合体２１は、下面に同心状に２本の第１及び第２円筒リブ２３ａ，２３ｂが突設されかつ上面に同心状に２本の第３及び第４円筒リブ２３ｃ，２３ｄが突設された複数の正方形板状の仕切板２３と、円筒リブ２３ａ〜２３ｄに連結アダプタ２４を介して嵌合する複数の円筒状の第１連結スペーサ３１とを有する（図２及び図３）。第１円筒リブ２３ａの直径と第３円筒リブ２３ｃの直径は同一に形成される。また、第２円筒リブ２３ｂの直径と第４円筒リブ２３ｄの直径は、同一に形成され、かつ第１及び第３円筒リブ２３ａ，２３ｃの直径より大きく形成される。更に、仕切板２３の中央には大径の孔２３ｅが形成される（図２、図３及び図６〜図８）。図３及び図６〜図８中の符号２３ｆは、仕切板２３に複数形成され雨水１３（図１）が通過可能な流通孔であり、図３及び図６〜図８中の符号２３ｇは、仕切板２３の４つコーナ部にそれぞれ形成され後述の第１結合片４１の第１係合突起４１ｂ又は第２結合片４２の第２係合突起４２ｂが係合可能な被係合孔である。また、図２の符号３１ａは、第１連結スペーサ３１の外周面に形成され第１連結スペーサ３１の内外に雨水１３（図１）を流通させるための流通孔である。更に、上記仕切板２３は、ポリオレフィン樹脂（ポリプロピレン、ポリエチレン等）、塩化ビニル樹脂等により形成され、上記第１連結スペーサ３１は、ＶＵ管（内圧の作用しない下水道用の硬質塩化ビニル管）等の市販のプラスチック管を所定の長さに切断して形成される。
【００１９】
上記連結アダプタ２４は、４つの仕切板２３を同一平面上で１つに結束する結束部材２６と、この結束部材２６と第１連結スペーサ３１とを連結させる漏斗状の漏斗部材２７とを有する（図２、図３及び図７）。結束部材２６は、正方形板状の結束本体２６ａと、この結束本体２６ａ下面の４つのコーナ部にそれぞれ突設され第２円筒リブ２３ｂ又は第４円筒リブ２３ｄに嵌合可能な円筒状の４つの第１結束リブ２６ｂと、結束本体２６ａの上面中央に第１結束リブ２６ｂより大径に形成された単一の円筒状の第２結束リブ２６ｃとからなる。また、漏斗部材２７は、結束部材２６の第２結束リブ２６ｃに嵌合可能な大径リブ２７ａと、この大径リブ２７ａと一体的にかつ大径リブ２７ａより小径に形成され更に第１連結スペーサ３１と嵌合可能な円筒状の小径リブ２７ｂとからなる。また、上記結束部材２６及び漏斗部材２７は、ポリオレフィン樹脂（ポリプロピレン、ポリエチレン等）、塩化ビニル樹脂等によりそれぞれ形成される。更に、図７中の符号２６ｄは、結束部材２６の結束本体２６ａに複数形成され雨水１３が流通可能な流通孔である。なお、この実施の形態では、連結アダプタを結束部材と漏斗部材の２つの部材により構成したが、結束部材と漏斗部材を一体成形した単一の部材により連結アダプタを構成してもよい。
【００２０】
一方、第２貯留複合体２２は、上記仕切板２３と、仕切板２３の第１円筒リブ２３ａ又は第３円筒リブ２３ｃに連結アダプタ２４を介さずに直接嵌合する複数の筒状の第２連結スペーサ３２とを有する（図２、図３及び図８）。第２貯留複合体２２は、仕切板２３毎に第２連結スペーサ３２を嵌合して構成される。また第１貯留槽１１の周部（全側部）に位置する仕切板２３の中央の大径の孔２３ｅには主軸パイプ３３が挿通される。なお、図２及び図８中の符号３２ａは、第２連結スペーサ３２の外周面に形成され第２連結スペーサ３２の内外に雨水１３（図１）を流通させるための流通孔であり、図２及び図８中の符号３３ａは、主軸パイプ３３の外周面に形成され主軸パイプ３３の内外に雨水１３（図１）を流通させるための流通孔である。また、上記第２連結スペーサ３２は、ＶＵ管（内圧の作用しない下水道用の硬質塩化ビニル管）等の市販のプラスチック管を所定の長さに切断して形成される。なお、この実施の形態では、第１貯留複合体より構成部品の多い第２貯留複合体を第１貯留槽の外周部に２列設けたが、第２貯留複合体は１列でもよい。これにより第１貯留槽内の外周部の構造を更に簡略化することが可能になる。
【００２１】
一方、仕切板２３の外周面、即ち４つの外側面の上部は、第１凹部２３ｈ及び第１凸部２３ｉが並んでそれぞれ形成され、４つの外側面の下部には、第２凸部２３ｊ及び第２凹部２３ｋが並んでそれぞれ形成される（図６〜図８）。第２凸部２３ｊは第１凹部２３ｈの下方に位置し、第２凹部２３ｋは第１凸部２３ｉの下方に位置するように構成される。そして、複数の仕切板２３を同一水平面内に並べて互いに連結することにより水平連結体３０が構成される。このとき仕切板２３の第１凹部２３ｈ及び第１凸部２３ｉに隣りの仕切板２３の第１凸部２３ｉ及び第１凹部２３ｈがそれぞれ遊挿及び遊嵌され、上記仕切板２３の第２凸部２３ｊ及び第２凹部２３ｋに上記隣りの仕切板２３の第２凹部２３ｋ及び第２凸部２３ｊがそれぞれ遊嵌及び遊挿される。これにより上記仕切板２３及び上記隣りの仕切板２３がこれらの接する面内で移動するのを阻止できる、即ち上記仕切板２３及び上記隣りの仕切板２３が上下方向及び左右方向に相対的に移動するのを阻止できるようになっている。
【００２２】
同一水平面内に位置する複数の仕切板２３は、第１結合片４１又は第２結合片４２により結合される（図３〜図７）。即ち、同一水平面内で隣接する４枚の仕切板２３の各コーナ部が第１結合片４１により互いに結合され、同一水平面内で最外側に位置して隣接する２枚の仕切板２３，２３の各コーナ部は第２結合片４２により互いに結合される。第１結合片４１は、正方形板状に形成された第１結合本体４１ａと、第１結合本体４１ａの一方の面における４つのコーナ部にそれぞれ突設された第１係合突起４１ｂとを有する（図３、図４、図６及び図７）。この第１係合突起４１ｂを仕切板２３の被係合孔２３ｇに打込んで挿入することにより、第１係合突起４１ｂが仕切板２３の被係合孔２３ｇに係合して抜けなくなる。一方、第２結合片４２は、長方形板状の第２結合本体４２ａと、第２結合本体４２ａの一方の面における２つのコーナ部にそれぞれ突設された第２係合突起４２ｂとを有する（図３及び図５）。第２係合突起４２ｂは第１係合突起４１ｂと同一形状に形成され、第２係合突起４２ｂを仕切板２３の被係合孔２３ｇに打込んで挿入することにより、第２係合突起４２ｂが仕切板２３の被係合孔２３ｇに係合して抜けなくなる。また、上記第１及び第２結合片４１，４２は、ポリオレフィン樹脂（ポリプロピレン、ポリエチレン等）、塩化ビニル樹脂等により成形される。
【００２３】
上記水平連結体３０は、この実施の形態では、３段設けられる（図１及び図２）。３段の水平連結体３０のうち第１貯留複合体２１の一部を構成する水平連結体３０の鉛直方向の間隔は、３段の水平連結体３０のうち第２貯留複合体２２の一部を構成する水平連結体３０の鉛直方向の間隔の２倍に設定される。このため第１連結スペーサ３１の長さは第２連結スペーサ３２の長さの２倍近くになるように形成される。また、３段の水平連結体３０のうち第１貯留複合体２１の一部を構成する３段の水平連結体３０の間には、連結アダプタ２４を介して第１連結スペーサ３１が介装され、３段の水平連結体３０のうち第２貯留複合体２２の一部を構成する３段の水平連結体３０の間には、連結アダプタ２４を介さずに第２連結スペーサ３２が直接介装される。更に、複数の第１連結スペーサ３１の配設間隔は複数の第２連結スペーサ３２の配設間隔より広く形成される。このような構成により第２貯留複合体２２は第１貯留複合体２１より高い強度を確保できる。なお、この実施の形態では、第１貯留複合体の一部を構成する水平連結体の鉛直方向の間隔を、第２貯留複合体の一部を構成する水平連結体の鉛直方向の間隔の２倍に設定したが、第１貯留複合体の一部を構成する水平連結体の鉛直方向の間隔を、第２貯留複合体の一部を構成する水平連結体の鉛直方向の間隔の３倍又はそれ以上の整数倍に設定してもよい。また、この実施の形態では、第１連結スペーサの長さを第２連結スペーサの長さの２倍近くになるように形成したが、第１連結スペーサの長さを第２連結スペーサの長さの３倍近く又はそれ以上の整数倍近くになるように形成してもよい。
【００２４】
第１貯留槽１１の底部上面には、底板４３を同一水平面内に並べて互いに連結することにより形成されたロア水平連結体４４が設置される（図２）。底板４３は、上面の第３及び第４円筒リブ４３ｃ，４３ｄを有するけれども、大径の孔２３ｅと、下面の第１円筒リブ２３ａ及び第２円筒リブ２３ｂとを有しないことを除いて、仕切板２３と略同一形状に形成される。即ち、底板４３の下面は平坦に形成されるため、底板４３が遮水シート１４に接触しても遮水シート１４が損傷することはない。また、第１貯留槽１１の頂部下面には、天板４６を同一水平面内に並べて互いに連結することにより形成されたアッパ水平連結体４７が設置される。天板４６は、下面の第１及び第２円筒リブ４６ａ，４６ｂを有するけれども、大径の孔２３ｅと、上面の第３円筒リブ２３ｃ及び第４円筒リブ２３ｄとを有しないことを除いて、仕切板２３と略同一形状に形成される。即ち、天板４６の上面は平坦に形成されるため、天板４６に遮水シート１４が接触しても遮水シート１４が損傷することはない。図２中の符号４３ｃは底板４３に形成されたロア円筒リブであり、図２中の符号４６ｃは天板４６に形成されたアッパ円筒リブである。主軸パイプ３３の下端はロア円筒リブ４３ｃに係合し、主軸パイプ３３の上端はアッパ円筒リブ４６ｃに係合するように構成される。
【００２５】
なお、この実施の形態では、底板と天板をそれぞれ別部材としたが、底板と天板は略同一形状であるため、兼用することができる。また、この実施の形態では、第１貯留槽の底部上面底板を同一水平面内に並べてロア水平連結体を設置し、第１貯留槽の頂部下面に天板を同一水平面内に並べてアッパ水平連結体を設置したが、遮水シートの防水シートが仕切板の円筒リブにより損傷するのを保護シートで確実に防止できれば、第１貯留槽の底部上面に仕切板を同一水平面内に並べて水平連結体を設置し、第１貯留槽の頂部下面に仕切板を同一水平面内に並べて水平連結体を設置してもよい。これにより部品点数を低減できる。但し、第１貯留槽の底部上面に仕切板を同一水平面内に並べて最下段の水平連結体を設置し、第１貯留槽の頂部下面に仕切板を同一水平面内に並べて最上段の水平連結体を設置した場合、最下段の水平連結体の下面を下面が平坦な複数のロアカバー板で覆い、最上段の水平連結体の上面を上面が平坦な複数のアッパカバー板で覆うと、遮水シートの防水シートが仕切板の円筒リブにより損傷するのを更に確実に防止できる。上記ロアカバー板は仕切板と略同じ大きさに形成され、ロアカバー板の上面には最下段の水平連結体を構成する仕切板の下面の円筒リブに係合するリブが形成される。また、上記アッパカバー板は仕切板と略同じ大きさに形成され、アッパカバー板の下面には最上段の水平連結体を構成する仕切板の上面の円筒リブに係合するリブが形成される。更に、この実施の形態では、アッパ水平連結体及びロア水平連結体をそれぞれ１段ずつ設け、水平連結体を３段設けたが、１段ずつのアッパ水平連結体及びロア水平連結体と、１段、３段又は４段以上の水平連結体とにより構成してもよい。また、アッパ水平連結体及びロア水平連結体を設けずに、２段又は３段以上の水平連結体のみで構成してもよい。
【００２６】
一方、第２貯留槽１２には、縦横に配設されかつ上方に積み重ねられた複数の滞水材１２ａが充填される（図１）。この滞水材１２ａとしては、金型により成形されたプラスチックの成型体が用いられる。このプラスチックの成型体からなる滞水材１２ａは、角錐台形状に形成され、上記のように縦横に配設されかつ上方に積み重ねられて滞水材１２ａの集合体が構成される。なお、この実施の形態では、滞水材を角錐台状に形成したが、滞水材を角型台状に形成してもよい。
【００２７】
第１貯留槽１１の上部にはオーバフロー管１１ａが遮水シート１４を貫通して設けられる（図１）。これにより第１貯留槽１１に貯留された所定の水位を超える雨水がオーバフロー管１１ａを通って第２貯留槽１２に導かれるように構成される。また第１貯留槽１１内の第１連結スペーサ３１の配設間隔は、第２貯留槽１２内の滞水材１２ａの配設間隔より広く形成される。更に第１貯留槽１１の上方には第１貯留槽１１の内部に連通する管理用マンホール４８が設けられ、このマンホール４８の下方の第１貯留槽１１内にはマンホール１１の孔径と略同一の孔径を有する作業空間１１ｂが形成される。なお、図１中の符号４８ａはマンホール４８の内壁にその長手方向に所定の間隔をあけて設けられた梯子であり、図１中の符号４８ｂはマンホール４８の蓋である。また、図１中の符号５６は第１及び第２貯留槽１１，１２下面に敷き詰められた砂利及び砂である。
【００２８】
一方、先端が第１貯留槽１１に挿入された雨水導入管５１の基端は第１及び第２貯留槽１１，１２より高い位置の地中に埋設された除塵管理枡５２に接続され、この除塵管理枡５２は雨水流入管５３を介して横断面略Ｕ字状の側溝５４に接続される（図１）。上記除塵管理枡５２は、上部側面が雨水流入管５３を介して側溝５４に接続された第１枡６１と、第１枡６１に隣接して設けられた第２枡６２と有する。第１枡６１の鉛直方向の中央には、上面が次第に下る方向に傾斜する中底壁６１ａが設けられる。また、第１枡６１の底部中央には、直立管６１ｂが中底壁６１ｄを貫通して立設され、この直立管６１ｂの上端は中底壁６１ａの上面と略同じ方向に傾斜して形成される。更に直立管６１ｂの下部側面には雨水導入管５１の基端が接続される。一方、第１枡６１及び第２枡６１の互いに接する側面には、小雨時に中底壁６１ａ上を流下する少量の雨水１３を第２枡６２内に導く比較的小さい流出孔６１ｃ及び流入孔６２ａがそれぞれ形成される。なお、図１中の符号６３は第２枡６２内に流入した雨水１３を地中に浸透させる砂利及び砂であり、図１中の符号６２ｂは第２枡６２の上部側面に形成されたオーバフロー孔である。
【００２９】
このように構成された雨水貯留システムの動作を説明する。降雨初期の小雨時に側溝５４を流れる雨水１３の一部が雨水流入管５３を通って第１枡６１に流入し、傾斜する中底壁６１ａ上を流下し、更に第１枡６１の流出孔６１ｃ及び第２枡６２の流入孔６２ａを通って第２枡６２に流入する。降雨初期の小雨には比較的多くの塵埃や枯れ葉等が含まれるため、降雨初期の小雨を第１貯留槽１１に流入させずに、上記のように第２枡６２に流入させる。そして第２枡６２に貯留された雨水１３は砂利及び砂６３の隙間を通って地中に浸透し、塵埃や枯れ葉等は第２枡６２の底部に堆積する。なお、第２枡６２内は定期的に清掃される。
【００３０】
降雨量が多くなると、第１枡６１に流入する雨水１３の量も多くなるため、中底壁６１ａ上の雨水１３は比較的小さい流出孔６１ｃ及び流入孔６２ａを通らずに、直立管６１ｂの上端開口部から直立管６１ｂに流入し、雨水導入管５１を通って第１貯留槽１１に流入する。この第１貯留槽１１に貯留された雨水１３は図示しないポンプ等により汲み上げられて、打ち水、洗車用水、花壇用水等として再利用される。
【００３１】
降雨量が更に多くなって、集中豪雨になると、第１貯留槽１１に貯留された雨水１３の量が急激に増え、第１貯留槽１１内で所定の水位を超えた雨水がオーバフロー管１１ａを通って第２貯留槽１２に導かれる。一般に第２貯留槽１２の容積は第１貯留槽１１の容積より大きいため、多くの雨水１３を第２貯留槽１２に一時的に貯留することができる。この結果、下水道管渠等が溢れるの防止できる。なお、第２貯留槽１２に一時的に貯留された雨水１３は第２貯留槽１２を被覆する透水シート１６を通過して地中に浸透する。このため降雨量が少なくなったり、或いは雨が止むと、第２貯留槽１２に一時的に貯留された雨水１３は、次第に減少し、最終的にはなくなる。このように本発明の雨水貯留システムは、第１貯留槽１１が雨水１３を貯留して再利用する機能を発揮できるとともに、第２貯留槽１２が雨水１３を一時的に貯留して下水道管渠等が溢れるの防止する機能を発揮でき、更に第１及び第２貯留槽１１，１２を別々に製作した場合と比較して、第１及び第２貯留槽１１，１２を製作するための部品点数及び工数を大幅に低減できる。
【００３２】
一方、第１貯留槽１１に貯留された雨水１３中の塵埃等の粒子状物質は、第１貯留槽１１内で沈降して第１貯留槽１１の底部に堆積するので、粒子状物質を殆ど含まない比較的清浄な雨水１３がオーバフロー管１１ａを通って第２貯留槽１２に流入する。この結果、第２貯留槽１２を被覆する透水シート１６の目詰まりを防止できる。また、第２貯留槽１２を第１貯留槽１１に隣接させたので、第１貯留槽１１内の外周部の構造を簡略化することが可能になるだけでなく、第１貯留槽１１を被覆する遮水シート１４を第２貯留槽１２で保護できる。即ち、第１及び第２貯留槽１１，１２を地中に設置した後に土砂を埋め戻すときに、第１貯留槽１１を被覆する遮水シート１４のうち第２貯留槽１２が接する部分が埋め戻し土砂で損傷するのを防止できる。特に、この実施の形態では、第２貯留槽１２を第１貯留槽１１の外周面に隣接させて第１貯留槽１１の外周面を第２貯留槽１２で包囲したので、第１貯留槽１１内の外周部の構造をより簡略化することが可能になるだけでなく、第１貯留槽１１を被覆する遮水シート１４を第２貯留槽１２でより確実に保護できる。即ち、第１及び第２貯留槽１１，１２を地中に設置した後に土砂を埋め戻すときに、第１貯留槽１１の外周面を被覆する遮水シート１４が埋め戻し土砂で損傷するのを防止できる。更に、管理用マンホール４８から第１貯留槽１１内の作業空間１１ｂに比較的容易に入ることができる。そして第１貯留複合体２１の第１連結スペーサ３１の配設間隔が比較的広く形成され、３段の水平連結体３０のうち第１貯留複合体２１の一部を構成する３段の水平連結体３０の鉛直方向の間隔が比較的広く形成されているので、第１貯留槽１１内の点検及び清掃を容易に行うことができる。
【符号の説明】
【００３３】
１１  第１貯留槽
１１ａ  オーバフロー管
１２  第２貯留槽
１２ａ  滞水材
１３  雨水
１４  遮水シート
１６  透水シート
２１  第１貯留複合体
２２  第２貯留複合体
２３  仕切板
２３ａ〜２３ｄ  第１〜第４円筒リブ
２４  連結アダプタ
３０  水平連結体
３１，３２  第１及び第２連結スペーサ
４８  管理用マンホール
５１  雨水導入管
【図１】
2015224450.tif 000003
【図２】
2015224450.tif 000004
【図３】
2015224450.tif 000005
【図４】
2015224450.tif 000006
【図５】
2015224450.tif 000007
【図６】
2015224450.tif 000008
【図７】
2015224450.tif 000009
【図８】
2015224450.tif 000010